(57)【特許請求の範囲】
【請求項１】
広告主の商用ページを掲載する１以上の商用サイト装置と、上記商用サイト装置にリンクされた広告を掲載する１以上の広告掲載サイト装置と、上記広告の配信及び広告掲載料の支払い管理を行う管理サイト装置とがネットワークに配置されているネットワーク広告配信管理システムにおいて、
前記広告掲載サイト装置の前記広告に、前記管理サイト装置を経由して前記商用サイト装置にリンクするためのリンク情報が埋め込まれ、
前記管理サイト装置は、通信端末を通じて商品等を購入したときにおける該通信端末が経由した広告掲載サイト装置を調査するためのトラッキングソフトがインストールされていると共に、前記広告にアクセスした通信端末が前記広告掲載サイト装置の前記リンク情報に基づき該管理サイト装置を経由したとき、その経由の間に、該通信端末に対して、該広告掲載サイト装置を識別するための広告掲載サイト装置識別情報を、該通信端末の該管理サイト装置への再アクセスを送り返し条件とした送り返し情報として、配信するように設定されており、
前記商用サイト装置は、通信端末から商品等の購入意思を示す情報の送信を受け取ったとき、前記トラッキングソフトの呼び出しを行うリンク先コードが埋め込まれた購入完了ページを該通信端末に配信するように設定されており、
前記トラッキングソフトは、前記リンク先コードに基づく該トラッキングソフトの呼び出し要求が前記通信端末から前記管理サイト装置になされたとき、呼び出されると共に、該通信端末から該管理サイト装置に送り返される前記広告掲載サイト装置識別情報に基づき、該広告掲載サイト装置識別情報に係る広告掲載サイト装置を商品等の購入に貢献した広告掲載サイト装置と判断する機能を該管理サイト装置に実現させるように設定されている、
ことを特徴とするネットワーク広告配信管理システム。
【請求項２】
請求項１において、
前記広告掲載サイト装置の前記リンク情報に、該広告掲載サイト装置を識別するための広告掲載サイト装置識別情報が含まれ、
前記管理サイト装置は、通信端末が前記広告掲載サイト装置の前記リンク情報に基づき該管理サイト装置を経由する度に、該通信端末のアドレス及び該広告掲載サイト装置の広告掲載サイト装置識別情報を該管理サイト装置にアドレス群等として一緒に保存するように設定されていると共に、前記リンク先コードに基づく該通信端末から該管理サイト装置への前記トラッキングソフトの呼び出し要求に伴って、該通信端末のアドレスを対象アドレスとして取得するように設定され、
前記トラッキングソフトは、前記対象アドレスが前記アドレス群等に含まれている否かを判別する機能、該対象アドレスに対して同一のアドレスが該アドレス群等に含まれていることを判断したときに、該対象アドレスに対して同一のアドレスと一緒に保存された広告掲載サイト装置識別情報に係る広告掲載サイト装置を商品等の購入に貢献した広告掲載サイト装置と判断する機能を前記管理サイト装置に実現させるように設定されている、
ことを特徴とするネットワーク広告配信管理システム。
【請求項３】
請求項２において、
前記管理サイト装置は、前記通信端末が前記広告掲載サイト装置の前記リンク情報に基づき該管理サイト装置を経由する度に、セッション開始日時も該管理サイト装置に保存するように設定され、
前記トラッキングソフトは、前記管理サイト装置の機能に基づき、前記対象アドレスが前記アドレス群等に含まれていると判断されたときには、該対象アドレスに係る通信端末の前記セッション開始日時から該判断時点までの判断時間を算出して、該判断時間が特定時間内にあるか否かを判別する機能、該判断時間が特定時間内にあることを判断したときに初めて、前記対象アドレスに対して同一のアドレスと一緒に保存された広告掲載サイト装置識別情報に係る広告掲載サイト装置を商品等の購入に貢献した広告掲載サイト装置と判断する機能を前記管理サイト装置に実現させるように設定されている、
ことを特徴とするネットワーク広告配信管理システム。
【請求項４】
広告主の商用ページを掲載する１以上の商用サイト装置と、上記商用サイト装置にリンクされた広告を掲載する１以上の広告掲載サイト装置と、上記広告の配信及び広告掲載料の支払い管理を行う管理サイト装置とがネットワークに配置されているネットワーク広告配信管理システムにおいて、
前記広告掲載サイト装置の前記広告に、前記管理サイト装置を経由して前記商用サイト装置にリンクするためのリンク情報であって該広告掲載サイト装置を識別するための広告掲載サイト装置識別情報を含むものが埋め込まれており、
前記管理サイト装置は、通信端末を通じて商品等を購入したときにおける該通信端末が経由した広告掲載サイト装置を調査するためのトラッキングソフトがインストールされていると共に、前記広告にアクセスした通信端末が前記広告掲載サイト装置の前記リンク情報に基づき該管理サイト装置を経由する度に、該通信端末のアドレス及び該広告掲載サイト装置の広告掲載サイト装置識別情報を該管理サイト装置にアドレス群等として一緒に保存するように設定されており、
前記商用サイト装置は、通信端末から商品等の購入意思を示す情報の送信を受け取ったとき、前記トラッキングソフトの呼び出しを行うリンク先コードが埋め込まれた購入完了ページを該通信端末に配信するように設定されており、
前記管理サイト装置が、前記リンク先コードに基づく前記通信端末から前記管理サイト装置への前記トラッキングソフトの呼び出し要求に伴って、該通信端末のアドレスを対象アドレスとして取得するように設定され、
前記トラッキングソフトは、前記対象アドレスが前記アドレス群等に含まれている否かを判別する機能、該対象アドレスに対して同一のアドレスが該アドレス群等に含まれていることを判断したときに、該対象アドレスに対して同一のアドレスと一緒に保存された広告掲載サイト装置識別情報に係る広告掲載サイト装置を商品等の購入に貢献した広告掲載サイト装置と判断する機能を前記管理サイト装置に実現させるように設定されている、
ことを特徴とするネットワーク広告配信管理システム。
【請求項５】
広告主の商用ページを掲載する１以上の商用サイト装置と、上記商用サイト装置にリンクするためのリンク情報が埋め込まれた広告を掲載する１以上の広告掲載サイト装置と共にネットワークに配置され、前記広告にアクセスした通信端末が前記リンク情報に基づき前記広告掲載サイト装置から前記商用サイト装置にアクセスする途中で経由されるように設定されているネットワーク広告配信管理システムの管理サイト装置であって、
通信端末を通じて商品等を購入したときにおける該通信端末が経由した広告掲載サイト装置を調査するためのトラッキングソフトがインストールされており、
前記通信端末が前記広告掲載サイト装置の前記リンク情報に基づき経由されているときには、その経由の間に、該通信端末に対して該広告掲載サイト装置を識別するための広告掲載サイト装置識別情報を、該通信端末の該管理サイト装置への再アクセスを送り返し条件とした送り返し情報として、配信するように設定されており、
前記商用サイト装置が、通信端末から商品等の購入意思を示す情報の送信を受け取ることにより、前記トラッキングソフトの呼び出しを行うリンク先コードが埋め込まれた購入完了ページを該通信端末に配信して、該通信端末が該リンク先コードに基づき前記トラッキングソフトの呼び出し要求を行ってきたときには、前記トラッキングソフトを呼び出して、該トラッキングソフトに基づき、該通信端末から送り返される前記広告掲載サイト装置識別情報により、該広告掲載サイト装置識別情報に係る広告掲載サイト装置を商品等の購入に貢献した広告掲載サイト装置と判断する機能が実現されるように設定されている、
ことを特徴とするネットワーク広告配信管理システムの管理サイト装置。
【請求項６】
請求項５において、
前記通信端末が前記広告掲載サイト装置の前記リンク情報に基づき経由されているときに、該通信端末に対して少なくとも前記広告掲載サイト装置識別情報を付与する識別情報付与手段と、
前記リンク先コードに基づく前記通信端末からの前記トラッキングソフトの呼び出し要求に伴って送り返される前記広告掲載サイト装置識別情報を取込む取込み手段と、が備えられている、
ことを特徴とするネットワーク広告配信管理システムの管理サイト装置。
【請求項７】
請求項５において、
前記広告掲載サイト装置の前記リンク情報に、該広告掲載サイト装置を識別するための広告掲載サイト装置識別情報が含まれていることを前提として、
前記通信端末が前記広告掲載サイト装置の前記リンク情報に基づき経由される度に、該通信端末のアドレス及び該広告掲載サイト装置の広告掲載サイト装置識別情報をアドレス群等として一緒に自ら保存する保存手段と、
前記リンク先コードに基づき前記通信端末がトラッキングソフトの呼び出し要求を行ったときに、該通信端末のアドレスを対象アドレスとして取得するアドレス取得手段と、が備えられ、
前記トラッキングソフトに基づき、前記対象アドレスが前記アドレス群等に含まれているか否かを判別する機能、該対象アドレスに対して同一のアドレスが該アドレス群等に含まれていることを判断したときに、該対象アドレスに対して同一のアドレスと一緒に保存された広告掲載サイト装置識別情報に係る広告掲載サイト装置を商品等の購入に貢献した広告掲載サイト装置と判断する機能が実現されるように設定されている、
ことを特徴とするネットワーク広告配信管理システムの管理サイト装置。
【請求項８】
請求項７において、
前記通信端末が前記広告掲載サイト装置の前記リンク情報に基づき経由される度に、セッション開始日時も保存するように設定され、
前記トラッキングソフトに基づき、前記対象アドレスに係る通信端末の前記セッション開始日時から該判断時点までの判断時間を算出して、該判断時間が特定時間内にあるか否かをも判別する機能、該判断時間が特定時間内にあることを判断したときに初めて、該対象アドレスに対して同一のアドレスと一緒に保存された広告掲載サイト装置識別情報に係る広告掲載サイト装置を商品等の購入に貢献した広告掲載サイト装置と判断する機能が実現されるように設定されている、
ことを特徴とするネットワーク広告配信管理システムの管理サイト装置。
【請求項９】
広告主の商用ページを掲載する１以上の商用サイト装置と、上記商用サイト装置にリンクするためのリンク情報であって広告掲載サイト装置識別情報を含むものが埋め込まれた広告を掲載する１以上の広告掲載サイト装置と共にネットワークに配置され、前記広告にアクセスした通信端末が前記リンク情報に基づき前記広告掲載サイト装置から前記商用サイト装置にアクセスする途中で経由されるように設定されているネットワーク広告配信管理システムの管理サイト装置であって、
通信端末を通じて商品等を購入したときにおける該通信端末が経由した広告掲載サイト装置を調査するためのトラッキングソフトがインストールされており、
前記広告にアクセスした通信端末が前記広告掲載サイト装置の前記リンク情報に基づき経由する度に、該通信端末のアドレス及び該広告掲載サイト装置の広告掲載サイト装置識別情報をアドレス群等として一緒に自ら保存するように設定されており、
前記商用サイト装置が、通信端末から商品等の購入意思を示す情報の送信を受け取ることにより、前記トラッキングソフトの呼び出しを行うリンク先コードが埋め込まれた購入完了ページを該通信端末に配信して、該通信端末が該リンク先コードに基づき前記トラッキングソフトの呼び出し要求を行ってきたときには、前記トラッキングソフトを呼び出すと共に、該通信端末のアドレスを対象アドレスとして取得するように設定され、
前記トラッキングソフトに基づき、前記対象アドレスが前記アドレス群等に含まれているか否かを判別する機能、該対象アドレスに対して同一のアドレスが該アドレス群等に含まれていることを判断したときに、該対象アドレスに対して同一のアドレスと一緒に保存された広告掲載サイト装置識別情報に係る広告掲載サイト装置を商品等の購入に貢献した広告掲載サイト装置と判断する機能が実現されるように設定されている、
ことを特徴とするネットワーク広告配信管理システムの管理サイト装置。
【発明の詳細な説明】
【０００１】
【発明の属する技術分野】
本発明は、インターネット等を利用し、ＷＷＷページのバナー広告を介してオンラインショッピング等の電子商取引を行うシステムにおけるバナー広告の配信や料金管理を行うネットワーク広告配信管理システムと、その中に含まれる管理サイト装置とに関するものである。
【０００２】
【従来の技術】
インターネット上でオンラインショッピング等の電子商取引を行う商用サイトへのアクセスを増大する手法として、インターネット上の種々のサイトのＷＷＷページにバナー広告を掲載し、そのサイトにアクセスした顧客がそのＷＷＷページのバナー広告をクリックすることで商用サイトに接続されるようにする手法が近年増大している。
【０００３】
かかるバナー広告をＷＷＷページ上に掲載するサイトは通常、アフィリエイトサイトと呼ばれており、多大なアクセス数がある巨大サイトから小さな個人サイトまでがこのアフィリエイトサイトとなっており、著名な商用サイトはかかるアフィリエイトサイトを非常に多数（例えば数万を超える数）持つようになっていると言われる。
【０００４】
このため、かかる無数のアフィリエイトサイトを商用サイト自身が単独で管理することの煩雑さが指摘されており、現在ではかかるアフィリエイトサイトの開拓、掲載広告の配信・管理や広告費用の支払いなどの管理を商用サイトに代わって行うアフィリエイト代行サービス会社が登場しており、この種の煩雑さを解決している。
【０００５】
ところで、最近、広告費用の実際の効果に対するコストパフォーマンスに疑問がでてきており、各広告主はより低コストの広告配信システムに興味を持ち始めている。その一つが、成功報酬型の広告配信システムであり、これは、通常、アフィリエイトプログラムと呼ばれている。このアフィリエイトプログラムは、顧客（ユーザ）がそのバナー広告を見て実際に商品を買った場合にだけ、その販売実績に応じた広告費用を支払うというシステムであり、このアフィリエイトプログラムを構築するために、通常は、アフィリエイト代行サービス会社の提供に係るトラッキングソフトを商用サイトにインストールして、実際の成功報酬行為の情報を収集し、その情報をデータとしてアフィリエイト代行サービス会社の管理サイトに送信することとされており、これにより、課金計算が可能となっている。
【０００６】
【発明が解決しようとする課題】
しかし、上記のように、商用サイト側にトラッキングソフトをインストールすることは、そのインストール作業自体が広告主側にとってかなりの負担となるばかりか、商用サイト側の環境（ＵＮＩＸ（登録商標）、ＷｉｎｄｏｗｓＮＴ（登録商標）等）により、インストールすべきトラッキングソフトを変えて提供する必要があり、開発するアフィリエイト代行サービス会社側においても負担が大きい。しかも、アップグレードやバグ修正等が生じた際には、商用サイト側において再度のインストール作業等が要求されることになり、商用サイト側はさらなる負担を負うことになる。
【０００７】
本発明はかかる問題点に鑑みてなされたものであり、その技術的課題は、広告主及びアフィリエイト代行サービス会社のいずれにおいても、負担が軽減されるネットワーク広告配信管理システム及び管理サイト装置を提供することにある。
【０００８】
【課題を解決するための手段】
上述の技術的課題を解決するために本発明（請求項１）においては、
広告主の商用ページを掲載する１以上の商用サイト装置と、上記商用サイト装置にリンクされた広告を掲載する１以上の広告掲載サイト装置と、上記広告の配信及び広告掲載料の支払い管理を行う管理サイト装置とがネットワークに配置されているネットワーク広告配信管理システムにおいて、
前記広告掲載サイト装置の前記広告に、前記管理サイト装置を経由して前記商用サイト装置にリンクするためのリンク情報が埋め込まれ、
前記管理サイト装置は、通信端末を通じて商品等を購入したときにおける該通信端末が経由した広告掲載サイト装置を調査するためのトラッキングソフトがインストールされていると共に、前記広告にアクセスした通信端末が前記広告掲載サイト装置の前記リンク情報に基づき該管理サイト装置を経由したとき、その経由の間に、該通信端末に対して、該広告掲載サイト装置を識別するための広告掲載サイト装置識別情報を、該通信端末の該管理サイト装置への再アクセスを送り返し条件とした送り返し情報として、配信するように設定されており、
前記商用サイト装置は、通信端末から商品等の購入意思を示す情報の送信を受け取ったとき、前記トラッキングソフトの呼び出しを行うリンク先コードが埋め込まれた購入完了ページを該通信端末に配信するように設定されており、
前記トラッキングソフトは、前記リンク先コードに基づく該トラッキングソフトの呼び出し要求が前記通信端末から前記管理サイト装置になされたとき、呼び出されると共に、該通信端末から該管理サイト装置に送り返される前記広告掲載サイト装置識別情報に基づき、該広告掲載サイト装置識別情報に係る広告掲載サイト装置を商品等の購入に貢献した広告掲載サイト装置と判断する機能を該管理サイト装置に実現させるように設定されている構成としてある。この請求項１の好ましい態様としては、請求項２、３の記載の通りである。
また、上述の技術的課題を解決するために本発明（請求項４）においては、
広告主の商用ページを掲載する１以上の商用サイト装置と、上記商用サイト装置にリンクされた広告を掲載する１以上の広告掲載サイト装置と、上記広告の配信及び広告掲載料の支払い管理を行う管理サイト装置とがネットワークに配置されているネットワーク広告配信管理システムにおいて、
前記広告掲載サイト装置の前記広告に、前記管理サイト装置を経由して前記商用サイト装置にリンクするためのリンク情報であって該広告掲載サイト装置を識別するための広告掲載サイト装置識別情報を含むものが埋め込まれており、
前記管理サイト装置は、通信端末を通じて商品等を購入したときにおける該通信端末が経由した広告掲載サイト装置を調査するためのトラッキングソフトがインストールされていると共に、前記広告にアクセスした通信端末が前記広告掲載サイト装置の前記リンク情報に基づき該管理サイト装置を経由する度に、該通信端末のアドレス及び該広告掲載サイト装置の広告掲載サイト装置識別情報を該管理サイト装置にアドレス群等として一緒に保存するように設定されており、
前記商用サイト装置は、通信端末から商品等の購入意思を示す情報の送信を受け取ったとき、前記トラッキングソフトの呼び出しを行うリンク先コードが埋め込まれた購入完了ページを該通信端末に配信するように設定されており、
前記管理サイト装置が、前記リンク先コードに基づく前記通信端末から前記管理サイト装置への前記トラッキングソフトの呼び出し要求に伴って、該通信端末のアドレスを対象アドレスとして取得するように設定され、
前記トラッキングソフトは、前記対象アドレスが前記アドレス群等に含まれている否かを判別する機能、該対象アドレスに対して同一のアドレスが該アドレス群等に含まれていることを判断したときに、該対象アドレスに対して同一のアドレスと一緒に保存された広告掲載サイト装置識別情報に係る広告掲載サイト装置を商品等の購入に貢献した広告掲載サイト装置と判断する機能を前記管理サイト装置に実現させるように設定されている構成されている。
【０００９】
また、上述の技術的課題を解決するために本発明（請求項５）においては、
広告主の商用ページを掲載する１以上の商用サイト装置と、上記商用サイト装置にリンクするためのリンク情報が埋め込まれた広告を掲載する１以上の広告掲載サイト装置と共にネットワークに配置され、前記広告にアクセスした通信端末が前記リンク情報に基づき前記広告掲載サイト装置から前記商用サイト装置にアクセスする途中で経由されるように設定されているネットワーク広告配信管理システムの管理サイト装置であって、
通信端末を通じて商品等を購入したときにおける該通信端末が経由した広告掲載サイト装置を調査するためのトラッキングソフトがインストールされており、
前記通信端末が前記広告掲載サイト装置の前記リンク情報に基づき経由されているときには、その経由の間に、該通信端末に対して該広告掲載サイト装置を識別するための広告掲載サイト装置識別情報を、該通信端末の該管理サイト装置への再アクセスを送り返し条件とした送り返し情報として、配信するように設定されており、
前記商用サイト装置が、通信端末から商品等の購入意思を示す情報の送信を受け取ることにより、前記トラッキングソフトの呼び出しを行うリンク先コードが埋め込まれた購入完了ページを該通信端末に配信して、該通信端末が該リンク先コードに基づき前記トラッキングソフトの呼び出し要求を行ってきたときには、前記トラッキングソフトを呼び出して、該トラッキングソフトに基づき、該通信端末から送り返される前記広告掲載サイト装置識別情報により、該広告掲載サイト装置識別情報に係る広告掲載サイト装置を商品等の購入に貢献した広告掲載サイト装置と判断する機能が実現されるように設定されている構成としてある。この請求項５の好ましい態様としては、請求項６〜８の記載の通りである。
さらに、上述の技術的課題を解決するために本発明（請求項９）においては、
広告主の商用ページを掲載する１以上の商用サイト装置と、上記商用サイト装置にリンクするためのリンク情報であって広告掲載サイト装置識別情報を含むものが埋め込まれた広告を掲載する１以上の広告掲載サイト装置と共にネットワークに配置され、前記広告にアクセスした通信端末が前記リンク情報に基づき前記広告掲載サイト装置から前記商用サイト装置にアクセスする途中で経由されるように設定されているネットワーク広告配信管理システムの管理サイト装置であって、
通信端末を通じて商品等を購入したときにおける該通信端末が経由した広告掲載サイト装置を調査するためのトラッキングソフトがインストールされており、
前記広告にアクセスした通信端末が前記広告掲載サイト装置の前記リンク情報に基づき経由する度に、該通信端末のアドレス及び該広告掲載サイト装置の広告掲載サイト装置識別情報をアドレス群等として一緒に自ら保存するように設定されており、
前記商用サイト装置が、通信端末から商品等の購入意思を示す情報の送信を受け取ることにより、前記トラッキングソフトの呼び出しを行うリンク先コードが埋め込まれた購入完了ページを該通信端末に配信して、該通信端末が該リンク先コードに基づき前記トラッキングソフトの呼び出し要求を行ってきたときには、前記トラッキングソフトを呼び出すと共に、該通信端末のアドレスを対象アドレスとして取得するように設定され、
前記トラッキングソフトに基づき、前記対象アドレスが前記アドレス群等に含まれているか否かを判別する機能、該対象アドレスに対して同一のアドレスが該アドレス群等に含まれていることを判断したときに、該対象アドレスに対して同一のアドレスと一緒に保存された広告掲載サイト装置識別情報に係る広告掲載サイト装置を商品等の購入に貢献した広告掲載サイト装置と判断する機能が実現されるように設定されている構成としてある。
【００１０】
【発明の効果】
請求項１の発明によれば、ネットワークを通じ、実際の商品等の購入時を的確に捉えてトラッキングソフトに基づき実際の成功報酬算出のための顧客情報を収集できる一方、管理サイト装置にトラッキングソフトをインストールすることに基づき、広告主側にとって、初期インストール作業、アップグレードやバグ修正等に伴う再度のインストール作業等を省くことができ、アフィリエイト代行サービス会社側にとっては、トラッキングソフトに関し、商用サイト装置側の環境を考慮する必要がなくなる。このため、広告主及びアフィリエイト代行サービス会社のいずれにおいても、負担を軽減できることになる。
【００１１】
また、商品等の購入意思を示す情報の送信を受け取ったことに基づく購入完了ページの表示により、リンク先としてのトラッキングソフトの存在個所に移行してトラッキングソフトを起動させることになり、トラッキングソフトの起動を円滑に行うことができることになる。
【００１２】
さらに、管理サイト装置が、ネットワークを通じて、通信端末に対する広告掲載サイト装置識別情報の付与、通信端末からの広告掲載サイト装置識別情報取込み機能を発揮できることを利用し、その情報をトラッキングソフトに利用することにより、実際に商品等の購入意思表示をした顧客が広告掲載サイト装置を通じて商用サイト装置にアクセスしたか否かを判別することになり、顧客が広告掲載サイト装置を通じて商用サイト装置にアクセスしその顧客自身が商用サイト装置の提供する商品等を実際に購入したか否かを的確に確認することができることになる。
【００１３】
請求項２の発明によれば、広告掲載サイト装置のリンク情報に、広告掲載サイト装置を識別するための広告掲載サイト装置識別情報が含まれ、管理サイト装置は、通信端末が広告掲載サイト装置のリンク情報に基づき管理サイト装置を経由する度に、通信端末のアドレス及び広告掲載サイト装置の広告掲載サイト装置識別情報を管理サイト装置にアドレス群等として一緒に保存するように設定されていると共に、リンク先コードに基づく通信端末から該管理サイト装置へのトラッキングソフトの呼び出し要求に伴って、通信端末のアドレスを対象アドレスとして取得するように設定され、トラッキングソフトは、対象アドレスがアドレス群等に含まれている否かを判別する機能、対象アドレスに対して同一のアドレスがアドレス群等に含まれていることを判断したときに、対象アドレスに対して同一のアドレスと一緒に保存された広告掲載サイト装置識別情報に係る広告掲載サイト装置を商品等の購入に貢献した広告掲載サイト装置と判断する機能を管理サイト装置に実現させるように設定されていることから、管理サイト装置は、ネットワークを利用することにより、通信端末のアドレスを所望のタイミングを捉えて得、その得たアドレスを比較判断することになり、通信端末に対する管理サイト装置による顧客識別情報や広告掲載サイト装置識別情報等の付与が通信端末において拒否されている場合であっても、顧客が広告掲載サイト装置を通じて商用サイト装置にアクセスしその顧客自身が商用サイト装置の提供する商品等を実際に購入したか否かを的確に確認することができることになる。
【００１４】
請求項３の発明によれば、トラッキングソフトに基づき、商品等の購入意思表示時のアドレスがアドレス群に含まれていることを判断した場合において、通信端末をもって広告掲載サイト装置の広告を経由して前記商用サイト装置にアクセスすることを意思表示してから特定の時間内にあるか否かをも判別するように設定されていることから、実際に商品等の購入に貢献した広告掲載サイト装置の特定の精度を高めることができることになる。
請求項４の発明によれば、前記請求項２の場合同様、管理サイト装置は、ネットワークを利用することにより、通信端末のアドレスを所望のタイミングを捉えて得、その得たアドレスを比較判断することになり、顧客が広告掲載サイト装置を通じて商用サイト装置にアクセスしその顧客自身が商用サイト装置の提供する商品等を実際に購入したか否かを的確に確認することができることになる。
【００１５】
請求項５の発明によれば、当該管理サイト装置をもって、前記請求項１と同様の作用効果を得ることができることになる。
【００１６】
請求項６の発明によれば、当該管理サイト装置をもって、前記請求項１と同様の作用効果を具体的に得ることができることになる。
【００１７】
請求項７の発明によれば、当該管理サイト装置をもって、前記請求項２と同様の作用効果を得ることができることになる。
請求項８の発明によれば、当該管理サイト装置をもって、前記請求項３と同様の作用効果を得ることができることになる。
【００１８】
請求項９の発明によれば、当該管理サイト装置をもって、前記請求項４と同様の作用効果を得ることができることになる。
【００１９】
【発明の実施の形態】
以下、図面を参照して本発明の実施の形態を説明する。
【００２０】
図１は本発明に係る一実施形態としてのネットワーク広告配信管理システムの全体構成を示す図である。この図１において、符号１はインターネットを通じたバナー広告の広告配信とその費用管理の運用を代行する代行会社における管理サイト、符号２は商用サイト３のバナー広告をホームページに掲載するアフィリエイトサイト、符号３は商品等の販売をインターネット（ＴＣＰ／ＩＰを用いたネットワーク）を通じて行う広告主の商用サイト、符号４は顧客のパーソナルコンピュータ（ＰＣ）などの通信端末（以下、単に顧客４という）を示すことになっている。
【００２１】
先ず、このネットワーク広告配信管理システムで提供するサービスの概要を説明する。
【００２２】
このネットワーク広告配信管理システムにおいては、上記代行会社が、１以上の商用サイト３との間で広告配信管理とその費用管理の運用代行に関する契約を結び、その契約に基づき、それらの商用サイト３のバナー広告を掲載するアフィリエイトサイト２を多数募集することになっており、顧客がこれらのアフィリエイトサイト２のＷＷＷページに掲載されたバナー広告を介して商用サイト３にアクセスしてその商用サイト３においてオンラインショッピングを行うと、そのオンラインショッピングにおける顧客の購入情報などの行為情報は、ネットワークを通じてサービス代行会社が運用する管理サイト１（マスターサーバシステム）に送られて蓄積される。
【００２３】
管理サイト１は、アフィリエイトサイト２のＷＷＷページに掲載するバナー広告の内容更新など広告の配信管理やアフィリエイトサイト２への広告掲載料の算出・支払い等の管理を行っており、アフィリエイトサイト２へ支払う広告掲載料の計算に関しては、いわゆる成功報酬型、すなわち、顧客４がアフィリエイトサイト２を通じて商用サイト３にアクセスし、その商用サイト３の提供する商品等を実際に購入したら、その売上実績に応じた対価を当該顧客が経由してきたアフィリエイトサイト２に広告掲載料の形で支払うことになっている。
【００２４】
このようなネットワーク広告配信管理システムを具体的に説明する。
【００２５】
顧客４は、そのパーソナルコンピュータ（ＰＣ）などの通信端末内にブラウザを搭載しており、そのブラウザによりインターネット５を通じてＷＷＷページが閲覧できることになっている。
【００２６】
アフィリエイトサイト２は、ＷＷＷページ〔ハイパーリンク（他のドキュメントへの参照ポインタ）が埋め込まれているもの〕を提示できるＷＷＷサーバを備えており、そのＷＷＷページには商用サイト３のバナー広告が掲載されている。このバナー広告には、管理サイト１を経て商用サイト３にリンク（リダイレクト）するためのＵＲＬが埋め込まれている。そのＵＲＬには、Query String（ＵＲＬ中の？マーク以降の欄）にアフィリエイトサイト（ＡＳ）ＩＤ、バナーＩＤ等が当該アフィリエイトサイト２によって付けられている。
【００２７】
商用サイト３は、オンライン上で自社の商品販売を行うＷＷＷページを掲載できる商用サイトＷＷＷサーバを備えている。このＷＷＷサーバにおけるＷＷＷページは、購入表示ページを含み、その購入表示ページには、顧客４の最終的な購入意思確認を行うための購入ボタンが表示されることになっており、その購入ボタンをクリックすることにより、売上情報を示す購入完了ページが商用サイト３において自動的に生成されることになっている。この購入完了ページには、リンク先を含むコードが埋め込まれており、そのコードに基づき、購入完了ページが表示されることを条件に、管理サイト１におけるトラッキングソフト（後述のマスタークライアントモジュール）が起動される（呼び出される）ようになっている（顧客４が管理サイト１にアクセス状態）。具体的には、コードとしては、下記のようなＩＭＧタグが利用されており、そのコードには、管理サイト（トラッキングソフトのマスタークライアントモジュール）のアドレス（パス名）、売上情報等の項目が含まれている。
＜IMG SRC="https://xxx.xxx.xxx/cgi-bin/xxxxx/sales?pid=［プログラム ID］&so=［オーダーNo］&si=［単価］.［個数］.［金額］.［Item No］&si=［単価］.［個数］.［金額］.［Item No］&si=..."＞管理サイト１（マスターサーバシステム）１は、このネットワーク広告配信管理システムの中心的機能を果たすコンピュータシステムであり、この管理サイト１は、商用サイト３、顧客４に対してインターネット５などの通信回線を通じて接続されている。
【００２８】
この管理サイト１には、図１、図４に示すように、ＡＤ配信サーバ６が備えられている。ＡＤ配信サーバ６は、広告主たる商用サイト３の依頼要求（例えば広告掲載したいアフィリエイトサイトの種別、掲載期間などの条件）と、サービス代行会社運用システムの加盟店となっている各アフィリエイトサイト２が指定した広告掲載承諾の指定条件（例えばどの商用サイトの広告を掲載するかなどの条件）とに基づいて、バナー広告を掲載するアフィリエイトサイト２やその広告内容を選択して、その選択したバナー広告をその各アフィリエイトサイト２に対してインターネット５を通じて配信するものである。
【００２９】
また、このＡＤ配信サーバ６は、図４に示すように、クッキー発行モジュール１１と、クッキー取込みモジュール１２と、通信情報取込みモジュール１３と、保存モジュール１４とを有する。クッキー発行モジュール１１は、一般的なＷＷＷサーバが通常に搭載しているモジュールであるが、ここでは、ＡＤ配信サーバ６にも搭載されているものとする。このＡＤ配信サーバ６におけるクッキー発行モジュール１１は、顧客４がアフィリエイトサイト２のバナー広告をクリックして、インターネットを通じて該顧客４とＡＤ配信サーバ６との間の通信が成立したとき、顧客４のパソコンのローカルディスクのクッキー格納場所に新たなクッキーフォルダーを作成し、そのクッキーフォルダ内に、顧客識別のためのＩＤと共に、経由アフィリエイトサイト（ＡＳ）ＩＤ、サイトＩＤ、バナーＩＤ、セッション開始日時（タイムスタンプ）等を保存する機能を有するモジュールである。勿論この場合、顧客４のクッキーはＯＮとされていることが条件となる。
【００３０】
クッキー取込みモジュール１２も、一般的なＷＷＷサーバが通常に搭載しているモジュールであるが、このＡＤ配信サーバ６におけるクッキー取込みモジュール１２は、顧客４に対して商用サイト３が購入完了ページを示すことに伴い、顧客４と管理サイト１との間の通信が成立したときに、顧客４のクッキーフォルダ中の顧客識別のためのＩＤと共に、経由アフィリエイトサイト（ＡＳ）ＩＤ、サイトＩＤ、バナーＩＤ、セッション開始日時（タイムスタンプ）等を取込む機能を有している。勿論この場合も、顧客４のクッキーがＯＮとされていることが条件となる。
【００３１】
通信情報取込みモジュール１３は、インターネットを通じて顧客４とＡＤ配信サーバ６との間の通信（パケット通信）が成立したとき、ＡＤ配信サーバ６が、顧客のＩＰアドレス及びブラウザのバージョン情報等を取込む機能であり、この通信情報取込みモジュール１３は、顧客４がバナー広告をクリックして顧客４とＡＤ配信サーバ６との通信関係が成立したとき、商用サイト３における購入完了ページが表示されて顧客４とＡＤ配信サーバ６との通信関係が成立したときに、その機能を発揮することになっている。
【００３２】
尚、顧客４がバナー広告をクリックした場合においては、ＵＲＬに付されている経由アフィリエイトサイトＩＤ、サイトＩＤ、バナーＩＤ、セッション開始日時（タイムスタンプ）等も一緒に取り込まれることになっている。また、本実施形態においては、通信情報取込みモジュール１３は、顧客４のクッキーがＯＦＦとされていることを条件に機能することになっているが、勿論、顧客４のクッキーがＯＮ，ＯＦＦに関わらず、機能させてもよい。
【００３３】
保存モジュール１４は、前記購入完了ページの表示に伴う売上情報、前記クッキー取込みモジュール１２の取込み情報、前記通信情報取込みモジュール１３の取込み情報をログ情報として保存する機能を有している。
【００３４】
さらに、ＡＤ配信サーバ６には、トラッキングソフト７がインストール（ハードディスクへの組み込み）されている。このトラッキングソフト７は、アフィリエイトサイトＩＤ等の情報、売上情報等を収集しテキストファイルに書き込むまでの処理を行うべく、マスタークライアントモジュール１５、ロギングモジュール１６等を備えている。マスタークライアントモジュール１５は、前記商用サイト３における購入完了ページに埋め込まれたコード（ＩＭＧタグ）により起動される機能、クッキーの取込み情報若しくは通信情報としてのＩＰアドレス等に基づき、実際に商品等の購入に貢献したアフィリエイトサイト２を判別する機能、マスタークライアントモジュール１５の各種処理データ、商用サイト３からの売上情報等を売上ファイル（テキストファイル）に書き込む（蓄積する）機能等を有している。ロギングモジュールは、マスタークライアントモジュール１５により書き込まれたファイルを取り込んで、それをデータベース１７に格納処理する機能等を有している。
【００３５】
この他、管理サイト１内には、各種マネージャシステムやサーバシステム１８が備えられており、これらと上記トラッキングソフト７とが連携して、各種データベース１７の管理（追加、削除、変更、加工等）、アフィリエイトサイト２に支払う成功報酬としての広告掲載料金の算定、報告書作成、指定された口座への広告掲載料金の振込等のアフィリエイトサイト２に関する管理を行うことになっている。
【００３６】
なお、図１の例では、アフィリエイトサイト２、商用サイト３、顧客４はそれぞれ１つずつが示されているが、実際にはそれぞれ複数のサイトがこのシステムに存在する。
【００３７】
次に、上記実施形態に係るシステムの動作を、図２、図３に示すフローチャートに基づいて具体的に説明する。尚、図２、図３において、Ｓはステップを示す。
【００３８】
顧客４が、アフィリエイトサイト（ＡＳ）２にアクセスすると、そのアフィリエイトサイト２のホームページ（ＨＴＭＬコードにより記述されたＷＷＷページ）の画像が顧客４に送り込まれ、そのＷＷＷページ（すなわちホームページ）にバナー広告が掲載される。このバナー広告にはリンク先のＵＲＬが埋め込まれており、このバナー広告をクリックすることを条件に、そのＵＲＬに基づき、顧客４は、ＡＤ配信サーバ６（管理サイト１）を経由して商用サイト３にアクセス（リダイレクト）することになる（Ｓ２、Ｓ３、Ｓ７）。
【００３９】
顧客４がＡＤ配信サーバ６にアクセスしている間においては（Ｓ３〜Ｓ６）、ＡＤ配信サーバ６は、顧客４のクッキーがＯＦＦか否かを判別することになり（Ｓ４）、クッキーがＯＮであるときには、ＡＤ配信サーバー６は、クッキー発行モジュール１１により、インターネットを通じて顧客４のローカルディスクのクッキー格納場所に新たなクッキーフォルダーを作成し、そのクッキーフォルダ内に、顧客識別のためのＩＤと共に、経由アフィリエイトサイトＩＤ、サイトＩＤ、バナーＩＤ、セッション開始日時（タイムスタンプ）等（アフィリエイトサイト２においてＵＲＬに付された内容）を保存する（Ｓ５）。一方、ＡＤ配信サーバ６（通信情報取込みモジュール１３）は、顧客４のクッキーがＯＦＦであるときには、そのＡＤ配信サーバ６内部（保存モジュール１４）に、インターネットを通じて顧客のＩＰアドレス及びブラウザのバージョン情報を、顧客識別のためのＩＤ、経由アフィリエイトサイトＩＤ、サイトＩＤ、バナーＩＤ、セッション開始日時（タイムスタンプ）等と一緒に保存する（Ｓ６）。
【００４０】
顧客４が、ＡＤ配信サーバ６を経て商用サイト３にアクセスしたときには、ＷＷＷページが表示される（Ｓ７）。このＷＷＷページ上においては、オンラインショッピングの最終的意思表示を示すものとして、購入ボタンを表示しており、その購入ボタンをクリックすることを条件に購入完了ページが商用サイト３によって自動的に生成され、その購入完了ページには、売上情報等が表示され、顧客４は、その内容を確認できることになる（Ｓ８、Ｓ９）。
【００４１】
上記購入完了ページが表示されると、それを条件に、その購入完了ページに埋め込まれているコードに基づき、顧客４は、ＡＤ配信サーバ６にアクセスすることになり、ＡＤ配信サーバ６内のトラッキングソフト７（マスタークライアントモジュール１５）を起動すると共に、商用サイト３における当該顧客４の売上情報をＡＤ配信サーバ６に送付する（Ｓ９、Ｓ１０）。尚、このときには、顧客４がＡＤ配信サーバ６にアクセスしているけれども、顧客４に対しては購入完了ページが表示される状態となっている。
【００４２】
また同時に、上記コードに基づく顧客４のＡＤ配信サーバ６へのアクセスに伴い、ＡＤ配信サーバ６は、顧客４のクッキーがＯＦＦか否かを判別し、クッキーがＯＮであることを条件に、ＡＤ配信サーバ６（クッキー取込みモジュール１５）は、先に保存していた顧客識別のためのＩＤ、経由アフィリエイトサイトＩＤ、サイトＩＤ、バナーＩＤ、セッション開始日時等を取得し、商用サイト３から送られてきたデータと一緒にして、保護モジュール１４にログ情報として保存する。そして、ＡＤ配信サーバ６（トラッキングソフト７中のマスタークライアントモジュール１５）が、経由アフィリエイトサイトＩＤの存在を確認することを条件に、商品等の購入に貢献したアフィリエイトサイト２を確認することになり（Ｓ１３、Ｓ１４）、その内容がデータベース１５に保存され（Ｓ１５）、この後、その売上実績に応じた対価を計算して、当該顧客４が経由してきたアフィリエイトサイト２に広告掲載料の形で支払われる。このため、直接、商用サイト３にアクセスしたような場合には、アフィリエイトサイト２を経由して商用サイトにアクセスした顧客とは判断されない（Ｓ１３のＮＯ参照）。
【００４３】
一方、顧客４のクッキーがＯＦＦであるときには、ＡＤ配信サーバ６が、インターネットを通じて再度ＩＰアドレスとブラウザのバージョン情報を収集すると共に（Ｓ１６）、ＡＤ配信サーバ６（保存モジュール１４）が保存している先のＩＰアドレス等（Ｓ６）を読み出す（Ｓ１７）。そして、トラッキングソフト７は、その両者のＩＰアドレス等のマッチングを行い、Ｓ１６のＩＰアドレス等と同じＩＰアドレス等が、ＡＤ配信サーバ６が保存していたものの中にあると共に、バナー広告クリックから現時点までの時間が特定時間内（例えば１時間以内）にあることを条件に、商品等の購入に貢献したアフィリエイトサイト２を確認することになる（Ｓ１８、Ｓ１９、Ｓ１４）。このため、Ｓ１６のＩＰアドレス等と同じＩＰアドレス等が、ＡＤ配信サーバ６が保存しているものの中に存在しない場合、バナー広告クリックから現時点までの時間が特定時間外にあるときには、実際に商品等を購入した顧客４が、アフィリエイトサイト２を経由して商用サイトにアクセスした顧客とは判断されない（Ｓ１８、Ｓ１９のＮＯ参照）。
【００４４】
したがって、上記実施形態においては、アフィリエイト代行サービス会社の管理下にあるＡＤ配信サーバ６内にトラッキングソフト７をインストールすることにより、商用サイト３側のインストール作業等の負担を軽減できると共に、アフィリエイト代行サービス会社の開発、管理負担を軽減できることになる。
【００４５】
さらに、クッキー情報だけでなく、ＩＰアドレスマッチングの併用により、顧客がアフィリエイトサイト２を通じて商用サイト３にアクセスしその顧客自身が商用サイト３の提供する商品等を実際に購入したか否かの判断の精度を高めることができることになる。
【図面の簡単な説明】
【図１】本発明の一実施形態としてのネットワーク広告配信管理システムの全体構成を示す図である。
【図２】アフィリエイトサイトにアクセスしてからの実施形態に係る作動を示すフローチャートである。
【図３】商用サイトにアクセスしてからの実施形態に係る作動を示すフローチャートである。
【図４】実施形態に係る管理サイトにおける構成を示す図である。
【符号の説明】
１ 管理サイト
２ アフィリエイトサイト
３ 商用サイト
４ 顧客の通信端末
５ インターネット
６ ＡＤ配信サーバ
７ トラッキングソフト
１１ クッキー発行モジュール
１２ クッキー取込みモジュール
１３ 通信情報取込みモジュール
１４ 保存モジュール
１５ マスタークライアントモジュール
【図１】
0003863365.tif 000002
【図２】
0003863365.tif 000003
【図３】
0003863365.tif 000004
【図４】
0003863365.tif 000005